(57)【特許請求の範囲】
【請求項１】
立設された碍子に対して径外方向から挟み込み可能な凹部を対向するそれぞれの端面に有するとともに、作業者の足を載せる載置面を有する一対の足場部材と、
該一対の足場部材のうちのいずれか一方を他方に対して近接・離間させる、又は一対の足場部材を互いに近接・離間させることで、挟み込み状態における凹部同士の対向距離を調整可能に構成された接離機構部と、
前記接離機構部によって移動させられる一方又は一対の足場部材を、前記碍子を挟み込んだ位置で保持する保持部と、を備え、
前記保持部は、
前記接離機構部によって移動させられる一方又は一対の足場部材に設けられ、前記接離機構部によって移動させられる一方又は一対の足場部材が移動する方向に所定の間隔をおいて配置された複数の係止凸部と、
前記係止凸部に対して係止する方向に付勢された状態で、前記複数の係止凸部のうちのいずれかに係止する係止部材であって、前記接離機構部によって移動させられる一方又は一対の足場部材の移動によって、前記係止凸部に対する係止位置が変わるように固定された係止部材とを備えたことを特徴とする碍子用足場装置。
【請求項２】
前記係止凸部は、前記接離機構部によって移動させられる一方又は一対の足場部材の載置面に形成された切欠部に設けられ、
前記係止凸部の上端は、前記載置面と同じ位置、又は前記載置面よりも低位置にあることを特徴とする請求項１に記載の碍子用足場装置。
【請求項３】
前記係止凸部は、前記係止凸部の上端から、一方の足場部材が他方の足場部材に、又は一対の足場部材同士が近接する方向に向かって斜め下方に傾斜する傾斜面を有することを特徴とする請求項１又は２に記載の碍子用足場装置。
【請求項４】
前記接離機構部は、
前記接離機構部によって移動させられる一方又は一対の足場部材を近接・離間させる方向に沿って往復移動させるためのガイド体と、
前記移動方向に対して略直交方向に配置される操作軸と、
該操作軸を軸線回りで回転させる操作部と、
該操作部の操作による操作軸の回転を、前記接離機構部によって移動させられる一方又は一対の足場部材の往復移動に変換する変換部と、
を備えることを特徴とする請求項１乃至３のいずれか１項に記載の碍子用足場装置。
【発明の詳細な説明】
【技術分野】
【０００１】
本発明は、立設された碍子に取り付けられる碍子用足場装置に関し、例えば、変電所等に設置された遮断器や断路器等の開閉器を保守点検作業する際に用いられる碍子用足場装置に関する。
【背景技術】
【０００２】
変電所等に設置される開閉器１００は、例えば、図１０に示すように、架台１０１上に所定の間隔を隔てて立設された一対の固定碍子１０２，１０２と、両固定碍子１０２，１０２の中間位置において架台１０１上に回動可能に支持された可動碍子１０３と、架台１０１の下部に配置され、可動碍子１０３を、該可動碍子１０３の軸１０４ａを回動中心にブレード１０３ｂを周方向に回動させる回動機構部１０４とで構成される開閉部を３相備えている。すなわち、開閉器１００は、架台１０１上に３つの碍子１０２，１０２，１０３が所定の間隔をおいて３列配置され、合計で９つの碍子が配置されている（図示せず）。また、それぞれの碍子１０２，１０２、１０３は、一対の碍子部材１０２ａ，１０２ａ、１０３ａが上下に接続されて一体化され、その高さは、１ｍ６０ｃｍ程度となっている。
【０００３】
これらの碍子１０２，１０２，１０３は、絶縁性を保持するために定期的に点検される。具体的に説明すると、図１０に示すように、作業者Ｘは、一対の碍子部材１０２ａ，１０２ａ，１０３ａの接続部Ｊに碍子用足場装置２００を取り付けると共に、腰のベルトＶ１に繋いだ命綱Ｖ２を碍子部材１０２ａの上部に引っ掛けて身体を支えつつ、両足を、後述する碍子用足場装置２００の一対の足場部材２０１，２０１に載せて、安定した状態で保守点検作業を行っている。この保守点検作業は、９本の碍子についてそれぞれ順次移動しつつ行われている。なお、上述したように、それぞれの碍子１０２，１０２、１０３の高さは、１ｍ６０ｃｍ程度であることから、碍子用足場装置２００をそれぞれの碍子１０２，１０２、１０３に一度取り付けると、それぞれの碍子１０２，１０２、１０３の上部へ手が届いて保守点検作業を行えるため、碍子用足場装置２００の位置を変更する必要はない。
【０００４】
碍子用足場装置２００は、例えば、図１１に示すように、対向して配置された一対の足場部材２０１，２０１を備える。該一対の足場部材２０１，２０１は、幅方向の一方を軸に、幅方向の他方が開くように回動する。具体的には、互いに隣り合う両側部を蝶番２０２によって接続することで、互いに対向する面を開閉可能に構成されている。また、一対の足場部材２０１，２０１の他端部には、該他端部を接合状態（閉状態）にロックするためのロック部材２０３が設けられている。
【先行技術文献】
【特許文献】
【０００５】
【特許文献１】特開２００６−１０４７９６号公報
【発明の概要】
【発明が解決しようとする課題】
【０００６】
ところで、前記開閉器１００は、適用される容量に合わせて、それぞれの碍子１０２，１０２、１０３の外径も異なる。しかし、前記碍子用足場装置２００は、径の異なる碍子１０２，１０２、１０３に対応できるようには構成されておらず、径の異なる碍子１０２，１０２、１０３に対応したものを個別に用意する必要がある、という問題がある。
【０００７】
そこで、本発明は、このような実情に鑑みてなされ、径の異なる碍子であっても容易に取り付けることができる碍子用足場装置を提供することを課題とする。
【課題を解決するための手段】
【０００８】
本発明に係る碍子用足場装置は、立設された碍子に対して径外方向から挟み込み可能な凹部を対向するそれぞれの端面に有するとともに、作業者の足を載せる載置面を有する一対の足場部材と、該一対の足場部材のうちのいずれか一方を他方に対して近接・離間させる、又は一対の足場部材を互いに近接・離間させることで、挟み込み状態における凹部同士の対向距離を調整可能に構成された接離機構部と、前記接離機構部によって移動させられる一方又は一対の足場部材を、前記碍子を挟み込んだ位置で保持する保持部と、を備え、前記保持部は、前記接離機構部によって移動させられる一方又は一対の足場部材に設けられ、前記接離機構部によって移動させられる一方又は一対の足場部材が移動する方向に所定の間隔をおいて配置された複数の係止凸部と、前記係止凸部に対して係止する方向に付勢された状態で、前記複数の係止凸部のうちのいずれかに係止する係止部材であって、前記接離機構部によって移動させられる一方又は一対の足場部材の移動によって、前記係止凸部に対する係止位置が変わるように固定された係止部材とを備えたことを特徴とする。
【０００９】
かかる構成によれば、一対の足場部材で碍子を径外方向から挟み込む。この状態で、接離機構部によって一対の足場部材のそれぞれの凹部が碍子に当接するまで、接離機構部によって移動させられる一方又は一対の足場部材を近接する方向に移動させて凹部同士の対向距離を碍子の径に合わせて調整する。これにより、碍子に一対の足場部材を固定することができる。したがって、作業者は、一対の足場部材に両足を載せて、安定した状態で碍子の保守点検作業を行うことができる。
【００１１】
また、接離機構部によって移動させられる一方又は一対の足場部材を保持部によって保持するようにしたので、碍子を挟み込んだ状態で碍子に対する一対の足場部材の固定が確実に行われるようになり、作業者は足場部材の上で安定した状態で保守点検作業を行える。
【００１３】
さらに、係止部材を係止凸部に対して係止する方向に付勢された状態で、前記複数の係止凸部のうちのいずれかに係止するようにしたため、碍子の径の大きさに合わせて位置調整した足場部材の移動が阻止されるようになり、一対の足場部材によって碍子を挟み込んだ状態を保持することができる。
【００１４】
本発明に係る碍子用足場装置の他態様として、前記係止凸部は、前記接離機構部によって移動させられる一方又は一対の足場部材の載置面に形成された切欠部に設けられ、前記係止凸部の上端は、前記載置面と同じ位置、又は前記載置面よりも低位置にあることが好ましい。
【００１５】
かかる構成によれば、係止凸部が足場部材の載置面から突出することがなく、作業者が足場部材に足を載せても、係止凸部を足に引っ掛けることがなく、作業者は保守点検作業を円滑に行えるようになる。
【００１６】
本発明に係る碍子用足場装置の他態様として、前記係止凸部は、前記係止凸部の上端から、一方の足場部材が他方の足場部材に、又は一対の足場部材同士が近接する方向に向かって斜め下方に傾斜する傾斜面を有することが好ましい。
【００１７】
かかる構成によれば、足場部材の近接する方向への移動に伴って、係止凸部が係止部材に対して前記近接方向に移動することになる。この際、係止凸部は、係止凸部の上端から、足場部材の近接する方向に向かって斜め下方に傾斜する傾斜面を有することで、係止部材はいずれの係止凸部に係止することなく乗り越えて移動するようになる。すなわち、足場部材を近接する方向に円滑に移動させることができる。
【００１８】
本発明に係る碍子用足場装置の他態様として、前記接離機構部は、前記接離機構部によって移動させられる一方又は一対の足場部材を近接・離間させる方向に沿って往復移動させるためのガイド体と、前記移動方向に対して略直交方向に配置される操作軸と、該操作軸を軸線回りで回転させる操作部と、該操作部の操作による操作軸の回転を、前記接離機構部によって移動させられる一方又は一対の足場部材の往復移動に変換する変換部と、を備えることが好ましい。
【００１９】
かかる構成によれば、操作部の回転操作で、前記接離機構部によって移動させられる一方又は一対の足場部材の近接・離間の調整ができるようになり、作業が安全且つ容易に行える。
【発明の効果】
【００２０】
以上のように、本発明によれば、径の異なる碍子であっても容易に取り付けることができる。
【図面の簡単な説明】
【００２１】
【図１】図１は、本発明の一実施形態に係る碍子用足場装置を示す斜視図である。
【図２】図２は、碍子を挟み込んだ状態の可動側足場部材を保持する保持部を示す拡大図である。
【図３】図３は、図１の分解斜視図である。
【図４】図４は、図１の碍子用足場装置の正面図である。
【図５】図５は、同実施形態に係る碍子用足場装置の使用態様を示す平面図であり、固定側足場部材と可動側足場部材とを開いた状態を示す平面図である。
【図６】図６は、同実施形態に係る碍子用足場装置を碍子に実装した状態を示す要部の拡大断面図である。
【図７】図７は、同実施形態に係る碍子用足場装置の変形例を示す図であり、複数の傘歯車によって可動側足場部材を移動させる図である。
【図８】図８は、同実施形態に係る碍子用足場装置の変形例を示す図であり、ウォーム歯車機構によって、一対の足場部材を近接・離間させる図である。
【図９】図９は、同実施形態に係る碍子用足場装置の変形例を示す図であり、複数の傘歯車によって一対の足場部材を近接・離間させる図である。
【図１０】図１０は、変電所等に設置される開閉器、及び該開閉器において立設された碍子に、従来の碍子用足場装置を実装した状態を示す図である。
【図１１】図１１は、従来の碍子用足場装置を示す図である。
【発明を実施するための形態】
【００２２】
本発明の一実施形態に係る碍子用足場装置について図面を参照しつつ説明する。
【００２３】
本実施形態に係る碍子用足場装置１は、図１〜図３に示すように、後述する接離機構部のガイド体に移動可能に配置された一方の足場部材（以下、移動側足場部材という）２と、該移動側足場部材２に対向して配置された他方の足場部材（以下、固定側足場部材という）３と、移動側足場部材２を固定側足場部材３に対して近接・離間させる接離機構部４と、移動側足場部材２を、碍子Ａを挟み込んだ状態で保持する保持部５とを備える。なお、本実施形態では、移動側足場部材２及び固定側足場部材３が、碍子Ａの隣り合う襞部Ａ１，Ａ１間の部位を挟み込むものとする（以下、単に碍子Ａを挟み込むという場合もある）。
【００２４】
移動側足場部材２及び固定側足場部材３は、図５及び図６に示すように、立設された碍子Ａの隣り合う襞部Ａ１，Ａ１間の部位に対して径外方向から挟み込み可能な凹部２０，３０を対向するそれぞれの端面に有するとともに、作業者の足を載せる載置面２１，３１を有する。
【００２５】
移動側足場部材２の載置面２１には、図４に示すように、対向する側とは反対側に切欠部２２が形成される。該切欠部２２には、移動側足場部材２が移動する方向（移動側足場部材２の幅方向に対して直交する方向）に所定の間隔をおいて複数の係止凸部５０が配置される。また、係止凸部５０の上端は、前記載置面２１よりも低位置にある。
【００２６】
固定側足場部材３は、移動側足場部材２に対して開閉できるよう、後述する接離機構部４のガイド体４０に接続される。詳細は、接離機構部４のガイド体４０において説明する。
【００２７】
接離機構部４は、移動側足場部材２を固定側足場部材３に対し近接・離間させることで、挟み込み状態における凹部同士の対向距離を調整可能に構成される。具体的に、移動側足場部材２を移動方向に沿って往復移動させるためのガイド体４０と、移動側足場部材２の移動方向に対して略直交方向に軸線を沿わせて配置された操作軸４１と、該操作軸４１の一端部に接続される操作部としてのハンドル４２と、該ハンドル（操作部）４２の操作による操作軸４１の軸線回りの回転を、移動側足場部材２の往復移動に変換する変換部ｃｈと、を備える。該変換部ｃｈとして、本実施形態では、操作軸４１の他端部に設けられたウォームギヤ４３と、移動側足場部材２の移動方向に沿うように配置された回動軸４４と、該回動軸４４の一端側に設けられ、且つウォームギヤ４３に噛合するウォームホイール４５と、回動軸４４の他端側に設けられた雄ねじ部４６と、該雄ねじ部４６に螺合すると共に、移動側足場部材２の下面に取り付けられた可動子（雌ねじ）４７とを備える。
【００２８】
ガイド体４０は、底壁４００と、該底壁４００において、移動側足場部材２の移動方向に対して直交する位置にある両側に立設された一対の側壁４０１，４０１と、該一対の側壁４０１，４０１における上端部であって、固定側足場部材３に対向する側とは反対側の上端部に跨った上壁４０２とを備える。このガイド体４０は、碍子Ａを挟み込む前に移動側足場部材２を固定側足場部材３から離間させる移動と、碍子Ａを挟み込んだ後に移動側足場部材２を固定側足場部材３に近接させる移動（碍子Ａの径に応じて位置調整するための移動）とをガイドする。
【００２９】
底壁４００は、移動側足場部材２の凹部２０と、後述する固定側足場部材３の凹部３０とによって、碍子Ａの襞部間の部位を挟み込めるように、移動側足場部材２よりも短い長さに設定されている。
【００３０】
一対の側壁４０１，４０１のそれぞれの上部には、移動側足場部材２の往復移動をガイドするガイド部４０４が設けられる。すなわち、ガイド部４０４は、固定側足場部材３と移動側足場部材２とが接離可能な位置に設けられている。また、一対のうちの一方の側壁４０１には、固定側足場部材３に対向する側とは反対側の部位に、接離機構部４の操作軸４１が回動可能に挿通される挿通孔４０５が形成される。
【００３１】
上壁４０２には、固定側足場部材３に対向する側とは反対側に、後述する保持部５の係止凸部５０に係止する係止部材５１が設けられる。
【００３２】
そして、固定側足場部材３とガイド体４０とは、それぞれの対向する部位を接離できるよう蝶番６によって接続される。
【００３３】
該蝶番６は、支軸６０と、該支軸６０に互いの端部が回動可能に支持された一対の支持片６１，６１とを備える。
【００３４】
そして、固定側足場部材３及びガイド体４０において、互いに隣り合う両側部に跨って蝶番６の両支持片６１，６１が取り付けられる。この状態では、固定側足場部材３及びガイド体４０において、前記互いに隣り合う両側部間に蝶番６の支軸６０が位置するようになり、固定側足場部材３及びガイド体４０は、蝶番６の支軸（互いに隣り合う両角部）６０を回転中心にして開閉できるようになっている。これにより、ガイド体４０に取り付けられた移動側足場部材２と固定側足場部材３とが開閉可能となる。
【００３５】
また、固定側足場部材３及びガイド体４０において、蝶番６とは反対側にある両側部には、碍子Ａを一対の足場部材２，３で挟み込んだ状態にした後に、固定側足場部材３とガイド体４０とを接続するための接続具７が取り付けられている。具体的に、接続具７は、ガイド体４０のガイド部４０４に配置された被掛止部材７０と、固定側足場部材３の側面に配置された掛止部材７１とを備える。この接続具７によって、固定側足場部材３とガイド体４０とを接続することで、移動側足場部材２を固定側足場部材３へ移動させる、すなわち移動側足場部材２の位置調整するためのスタンバイ状態がセットされる。
【００３６】
被掛止部材７０は、ガイド体４０のガイド部４０４に取り付けられた取付板７００と、該取付板７００における固定側足場部材３側の端部に、取付板７００に対して鋭角に折れ曲がったフック７０１とを備える。
【００３７】
掛止部材７１は、固定側足場部材３の側面に取り付けられた支持板７１０と、該支持板７１０における移動側足場部材２側の端部に、基端部が回動可能に支持されたレバー７１１と、該レバー７１１の先端部に両端部が回動可能に支持されるとともに、前記フック７０１に対して折れ曲がった中央部が掛脱可能な引っ掛け部材７１２とを備える。
【００３８】
操作軸４１は、移動側足場部材２の下方に配置される。具体的に、操作軸４１は、一対の足場部材２，３を碍子Ａに固定した状態で作業者が操作可能な位置、すなわち固定側足場部材３と対向する側とは反対側に配置される。また、操作軸４１の一端部は、ガイド体４０の側壁４０１を貫通して外部に導出され、導出された部位にハンドル４２が取り付けられる。
【００３９】
ハンドル（操作部）４２は、操作軸４１に対して直交方向に接続される平板状の接続部４２０と、該接続部４２０に設けられた操作部４２１とを備える。接続部４２０は、一端部が操作軸４１の一端部に着脱可能に構成される。操作部４２１は、接続部４２０の他端部に回動可能に支持され、接続部４２０に対して直交方向に取り付けられた棒状の把持部４２２を備える。
【００４０】
ウォームギヤ４３は、図４に示すように、移動側足場部材２の幅方向中央部であって、後述する保持部５の係止凸部５０のある下方に配置される。
【００４１】
回動軸４４は、移動側足場部材２の移動方向に沿う中心線に沿って配置され、移動側足場部材２の移動方向に位置する両端面を結ぶ長さと同じ長さを有する。また、回動軸４４の両端部は、軸受けとしての支持板Ｂによって回動可能に支持されている。
【００４２】
ウォームホイール４５は、ウォームギヤ４３と同じ位置、すなわち後述する保持部５の係止凸部５０のある下方に配置される。そして、ウォームホイール４５は、ウォームギヤ４３と噛合することで、セルフロックするように構成されており、ウォームギヤ４３に対して外部から力が作用したとしても、操作軸４１は回動することがなく、移動側足場部材２を所望の位置で固定することができる。
【００４３】
雄ねじ部４６は、碍子Ａから取り外せるよう固定側足場部材３から離間可能で、且つ碍子Ａを挟み込みできるよう固定側足場部材３に近接可能な長さを有している。
【００４４】
可動子４７は、移動側足場部材２の下面に取り付けられる。具体的には、移動側足場部材２の凹部２０の近傍に取り付けられる。そして、回動軸４４の回転に伴って雄ねじ部４６が回動し、可動子４７が回動軸４４を移動する。これにより、移動側足場部材２が往復移動する。
【００４５】
保持部５は、図４に示すように、複数の係止凸部５０と、該係止凸部５０に係止する係止部材５１とを備え、係止凸部５０は移動側足場部材２の切欠部２２に内設される。具体的に、係止凸部５０の上端は、移動側足場部材２の載置面２１と同じ位置、もしくは載置面２１よりも低位置にある。すなわち、係止凸部５０は、移動側足場部材２の載置面２１から突出することがない。したがって、作業者が移動側足場部材２に足を載置しても、係止凸部５０が靴底に引っ掛かることがなく、安全に作業を行える。
【００４６】
係止凸部５０は、移動側足場部材２の幅方向に延びて、移動側足場部材２が固定側足場部材３に向かって移動する方向に所定の間隔をおいて配置される。また、係止凸部５０は、上端から切欠部２２の底面にかけて、移動側足場部材２が固定側足場部材３の近接する方向に向かって斜め下方に傾斜する傾斜面５００と、係止凸部５０の上端から鉛直方向に向かって延びる係止面５０１とを有する。
【００４７】
係止凸部５０は、傾斜面５００によって、移動側足場部材２の固定側足場部材３側への移動を可能にしている。具体的に、移動側足場部材２の固定側足場部材３側への移動に伴って、後述する係止部材５１の係止突起５１１が傾斜面５００を乗り越えていくことになる。これにより、移動側足場部材２の固定側足場部材３側への移動が可能になる。すなわち、係止凸部５０に対する係止部材５１の関係が、移動側足場部材２の固定側足場部材３に近接する方向への移動を邪魔することがなく、係止凸部５０に対する係止部材５１の係止を解除することなく、移動側足場部材２を固定側足場部材３に近接する方向に円滑に移動させることができる。また、移動側足場部材２が固定側足場部材３から離間しようとしても、係止凸部５０の係止面５０１に係止部材５１の係止突起５１１が係止することで、移動側足場部材２の離間が阻止される。
【００４８】
係止部材５１は、接離機構部４によって移動させられる移動側足場部材２の移動によって、係止凸部５０に対して移動方向で相対的に移動するように設けられる。すなわち、係止部材５１は、接離機構部４によって移動させられる移動側足場部材２の移動によって、係止凸部５０に対する係止位置が変わるように固定される。具体的には、移動側足場部材２が固定側足場部材３から離間する方向に向かって延びる板状の支持部５１０と、該支持部５１０の下面から突設された係止突起５１１とを備える。また、支持部５１０の基端部には、係止凸部５０に係止する方向に付勢するための巻ばね５１２が設けられる。また、支持部５１０の基端部は、ガイド体４０の上壁４０２における固定側足場部材３に対向する側とは反対側に取り付けられている。具体的に、係止部材５１の基端部は、係止凸部５０の最後部の位置に取り付けられ、巻ばね５１２によって、係止凸部５０に係止する方向に常時付勢されている。したがって、係止部材５１は、係止凸部５０に係止する状態に維持され、作業者が係止部材５１を指で引き起こし、係止凸部５０に対する係止部材５１の係止突起５１１の係止を解除しない限りは、係止部材５１は係止凸部５０に係止した状態が維持される。
【００４９】
つぎに本実施形態に係る碍子用足場装置の使用態様について説明する。なお、一対の足場部材２，３は、接続具７によって閉じられた状態にあり、この状態で保管されているものとする。まず、作業者は、接続具７のロックを解除する。具体的に、接続具７のレバー７１１を引き起こして、フック７０１から引っ掛け部材７１２を取り外す。これにより、一対の足場部材２，３の閉状態を解除する。つぎに、作業者は、蝶番６を介して一対の足場部材２，３を開いた状態にする。
【００５０】
そして、作業者は、図５に示すように、開いた状態の一対の足場部材２，３を碍子Ａの外側に配置し、一対の足場部材２，３で碍子Ａの襞部Ａ１，Ａ１間を径外方向から挟み込む。
【００５１】
そして、作業者は、一対の足場部材２，３のそれぞれの対向面を対向させた状態で、接続具７をロック状態にする。具体的には、接続具７のレバー７１１を斜めに引き起こし、引っ掛け部材７１２をフック７０１に引っ掛けて、レバー７１１を支持板７１０側に倒伏させる。これにより、一対の足場部材２，３は碍子Ａの襞部間に固定された状態になる。
【００５２】
この状態で、作業者は、図６に示すように、接離機構部４によって一対の足場部材２，３のそれぞれの凹部２０，３０が碍子Ａに当接するまで、移動側足場部材２を固定側足場部材３に近接する方向（移動側足場部材２の幅方向に対して直交する方向）に移動させる。具体的に、作業者は、操作軸４１にハンドル４２を接続して、時計方向に操作軸４１を回動させる。操作軸４１の回動により、ウォームギヤ４３が回動するとともに、ウォームホイール４５及び雄ねじ部４６（すなわち回動軸４４）が回動し、可動子４７が回動軸４４に沿って碍子Ａ側に移動する。この移動に伴って移動側足場部材２が固定側足場部材３の方に移動し、さらなる移動側足場部材２の移動によって、一対の足場部材２，３のそれぞれの対向する面が碍子Ａの襞部間に当接する。すなわち、一対の足場部材２，３が碍子Ａを径外方向（両側）から挟み込む状態になる。
【００５３】
この際、作業者は、保持部５の係止部材５１が係止凸部５０に係止しているか、否かを確認する。すなわち、移動側足場部材２が固定側足場部材３側に移動することに伴って、係止部材５１の係止突起５１１が、係止凸部５０の傾斜面５００を順次乗り越えていき、一対の足場部材２，３が碍子Ａの襞部間に当接した状態で、保持部５の係止部材５１が係止凸部５０に係止しているか、否かを確認し、係止していなければ、係止部材５１を係止凸部５０に係止させる。これにより、仮に接続具７が壊れても、一対の足場部材２，３の挟み込み状態は保持される。
【００５４】
そして、作業者は、碍子Ａに固定された状態の一対の足場部材２，３の上に載って起立する。すなわち、作業者は、碍子Ａが両足の間に位置した状態で、保守点検作業を行うことになる。この際、作業者は、移動側足場部材２の載置面２１に足を載せても、係止凸部５０を靴底に引っ掛けることがなく、一対の足場部材２，３に起立した作業者の安全性は確保される。
【００５５】
このように、本実施形態に係る碍子用足場装置によれば、一対の足場部材２，３の間隔を調整することで、径の異なる碍子であっても容易に取り付けることができる。
【００５６】
なお、本発明に係る碍子用足場装置は、前記実施形態に限定することなく種々変更することができる。
【００５７】
例えば、前記実施形態の場合、例えば、一対の足場部材２，３の凹部２０，３０は、碍子Ａの外形に応じて半円形状に形成されたが、矩形や楕円形状に形成されてもよく、要は、一対の足場部材２，３を碍子Ａに対して径外方向から挟み込んで固定できればよい。
【００５８】
また、前記実施形態の場合、保持部５を一対の足場部材２，３の対向面とは反対側に設けるようにしたが、複数の保持部５を、一対の足場部材２，３の接合部に跨って設けるようにしてもよい。
【００５９】
また、前記実施形態の場合、接離機構部４として、ウォームギヤ４３とウォームホイール４５とで移動側足場部材２を往復移動させるようにしたが、二つの傘歯車で移動側足場部材２を往復移動させるようにしてもよい。例えば、図７に示すように、操作軸４１の端部に固着された第一傘歯車８０と、回動軸４４に固着されるとともに、第一傘歯車８０に噛合する第二傘歯車８１とを備えた接離機構部４Ａであってもよい。この場合、第一傘歯車８０に第二傘歯車８１が噛合することで、ハンドル４２の回動が雄ねじ部４６に伝達されて、移動側足場部材２が往復移動することになる。
【００６０】
また、例えば、図８に示すように、移動側足場部材２の下面の幅方向中央に設けたラックギヤ４８と、該ラックギヤ４８に噛合するピニオンギヤ４９とを備えた接離機構部４Ｂであってもよい。この場合、ピニオンギヤ４９の回動により、ラックギヤ４８を介して移動側足場部材２が往復移動することになる。
【００６１】
また、前記実施形態の場合、移動側足場部材２を固定側足場部材３に対して接離させるようにしたが、一対の足場部材２，３同士を互いに近接・離間させるようにしてもよい。この場合の接離機構部９を具体的に説明する。
【００６２】
例えば、複数の傘歯車を備えた接離機構部９の場合、図９に示すように、一つの操作軸４１を挟んで、二つの回動軸４４，４４を同一直線状に配置する。そして、操作軸４１の端部に第一傘歯車８０を設けるとともに、二つの回動軸４４，４４のそれぞれに、第一傘歯車８０に噛合する一対の第二傘歯車８１，８１を設ける。さらに、二つの回動軸４４，４４のうちの一方に左ねじ９０を設け、他方に右ねじ９１を設ける。これによって、一対の足場部材２，３同士を近接・離間させるようにしてもよい。
【符号の説明】
【００６３】
１…碍子用足場装置、２…移動側足場部材、３…固定側足場部材、２０，３０…凹部、２１，３１…載置面、２２…切欠部、４，４Ａ，４Ｂ，９…接離機構部、４０…ガイド体、４００…底壁、４０１…側壁、４０２…上壁、４０４…ガイド部、４０５…挿通孔、４１…操作軸、４２…ハンドル、４２０…接続部、４２１…操作部、４２２…把持部、４３…ウォームギヤ、４４…回動軸、４５…ウォームホイール、４６…雄ねじ部、４７…可動子、４８…ラックギヤ、４９…ピニオンギヤ、５…保持部、５０…係止凸部、５１…係止部材、５００…傾斜面、５０１…係止面、５１０…支持部、５１１…係止突起、７…接続具、７０…被掛止部材、７００…取付板、７０１…フック、７１…掛止部材、７１０…支持板、７１１…レバー、７１２…引っ掛け部材、８０…第一傘歯車、８１…第二傘歯車、Ａ…碍子、Ｂ…支持板、ｃｈ…変換部
【図１】
0006611003.tif 000002
【図２】
0006611003.tif 000003
【図３】
0006611003.tif 000004
【図４】
0006611003.tif 000005
【図５】
0006611003.tif 000006
【図６】
0006611003.tif 000007
【図７】
0006611003.tif 000008
【図８】
0006611003.tif 000009
【図９】
0006611003.tif 000010
【図１０】
0006611003.tif 000011
【図１１】
0006611003.tif 000012